(57)【要約】【課題】幅広封書（例えば、Ａ４サイズ）の手作業による粘着テープ使用の封緘作業を、簡単なレバー操作に置き換え、作業性と封書の外観を改善することを目的とする封緘機を提供する。【解決手段】操作レバーによって給紙台に垂直に設置された筺体面を斜め上方向へ移動可能な、テープ保持プレート、カッター保持プレートを２種類のローラーによって封書へ粘着させながら移動して、テープの必要長さをカットし粘着後、次の作業のために、テープ先端を複数の線状ばね材で平面形状を保ちながら、テープとカッターは初期位置に自動復帰することを特徴とする。【選択図】図１
2006327688.tif 000002
【特許請求の範囲】
【請求項１】
幅広な封書等（例えば、Ａ４サイズ）を置く給紙台と、給紙台に垂直に設置された筺体、その表面を粘着テープを装着したテープ保持プレートと、カッター保持プレートが斜め上方向え直線移動して、必要長さのテープの繰り出しと、テープカット、サブローラー、メインローラーによる封書への粘着の一連の機能を給紙台に設置された操作レバーの一回の操作で可能とすることを特徴とする粘着テープ使用の封緘機。
【請求項２】
テープカッターでカットされ、残った方のテープ先端は、テープ保持プレートに設置された複数の線状ばね材で、テープ粘着面はほぼ平面的に保持されて、その線状ばね材との干渉を避けるように配置された複数のサブローラーが封緘のためのテープ幅の部分的粘着をおこない、その直後、メインローラーがテープ全幅を押圧することを特徴とする封緘機。
【発明の詳細な説明】
【発明の詳細な説明】
【技術分野】
【０００１】本発明は、幅広な封書類に粘着テープを用いて、操作レバーによるワンタッチ動作でテープ先端の貼り付け、テープの必要長さの繰り出しと貼り付け、テープカット、これら一連の作業を行うことを目的とした封緘機に関するものである。
【背景技術】
【０００２】従来、幅広な封書類（例えば、Ａ４サイズ）に粘着テープを用いて封緘する場合、手作業が主体であった。幅広なるがため、カットするテープも長くなりその結果、貼られた状態は、テープの曲がりやしわ等が生じ易く、封書の外観やその作業性は悪く、これ等の改善された低コストで、手軽に使える作業機具の出現が期待されていた。
【発明の開示】
【発明が解決しようとする課題】
【０００３】カットされた粘着テープの先端は、先端を何らかの方法で保持しない限り、その姿勢が定まらず、このことが、封緘作業の手作業からの開放を困難にしていた。【０００４】本発明は、このような問題点を解決し、安全で、低コストで、しかも、信頼性に優れた粘着テープを用いた封緘機を提供することを目的とする。
【課題を解決するための手段】
【０００５】この封緘機は、封書類を置く給紙台Ａと、封書の固定ガイドＣ１、封書のサイズに合わせ移動可能な移動ガイドＣ２、封書先端の位置決めプレートＤ、給紙台に垂直に設置された筺体Ｂ，その筺体面を斜め上方向に直線移動するテープ保持プレート４１、カッター保持プレート７１と、カッター保持プレートに半時計方向の回動をさせるストッパーブロック７４、テープカット時のブレーキプレート７５、粘着させるローラーの動きに、一定の時間的遅れをもってテープ保持プレートを斜め上方向に直線的な動きをさせるテープ送りレバー６１、封書固定プレート８１、操作レバーのロック金具３５、とから構成されている。（図１参照）【０００６】本発明は、予め封書の開口部のフラップが折られた状態で、給紙台の奥にある位置決めプレートＤに封書の先端を当てた状態で置く。【０００７】上記状態で、操作レバー３１を手前に倒すことで以下一連の各部の動きによって粘着テープによる封緘作業をおこなう。
（イ）図６によれば、操作レバーに付設されたピン３２が筺体のくりぬき窓から抜け支軸３３を中心として回動し、図７，８により筺体内部のロックレバー３５のロックから外れる。
（ロ）図８により、封書固定プレート８１に固定されたピン８２は、ロックレバー３５のピン３７の支持からの外れにより、支軸８３に挿入されたねじりばね８４の反力で８１は回動し、封書を給紙台に固定する。
（ハ）図１０によれば、テープ保持プレート４１は、支軸４２を中心として、ねじりばね４３により、半時計方向に回動する与圧がかかっている。上記８１の回動によって、  テープ保持プレート４１に固定されたピン４４（図９）の支持は解除され、テープ保持プレート４１は矢印のごとく回動し、４１に加工された楕円長穴４５の端が、スライドブロック４７（図１５）に固定されたピン４６に当たり、回動は停止する。
（ニ）図１１、１２によって、上記４１の回動で、テープ先端は封書に接した位置に停止すると、操作レバー３１に、支軸３８を中心に回動自在に連結された、ローラー保持レバー５１の動きにより、補助ローラー５２は粘着テープ先端を封書に押し付ける。テープ先端は、その粘着面を複数の、本図では２本の、線状ばね材５６で支持され先端形状の平面を維持するとともに、複数個、本図では３個の補助ローラー５２は５６との干渉を避ける位置に配置されている。
（ホ）上記補助ローラーによってテープ先端のわずかな長さ、約１センチ位が封書に粘着すると、図１５により、筺体内部の、操作レバー３１と共通の支軸３３を中心に回動する、テープ送りレバー６１に固定されたピン６２、このピンは筺体の楕円くりぬき窓６４を抜けて反対側へ突き出ている、を操作レバー３１は押しながら回動する（図１３）。即ち、テープ先端の粘着後、テープの移動がはじまる。
（ヘ）図１５により、テープ送りレバー６１にローラーを介して接触している直線移動レバー６３は、筺体に水平、直線的にあけられた窓をスライドする、スライドブロック６５（図１３）に固定されている。この６３に固定されたピン６６は、支軸６８を中心に回動するレバー６７のスリットを介してつながっている。さらに、二つ目のスライドブロック４７ともつながっている。以上の説明から、テープ送りレバー６１の回動は、レバー６７の回動によって、スライドブロック４７を斜め上方向へ直線移動させる。即ち、図１０のテープを斜め上方向へ移動させることになる。
（ト）図１６によれば、上記によるスライドブロック４７の支軸４２に挿入された、ねじりばね７３により時計方向に回動与圧された、カッター保持プレート７１は、斜め上方向へ封書への粘着テープの必要長さ移動後、ストッパーブロック７４に接触しながら反時計方向に回動し、先端に固定されたカッター７２でテープをカットする。
（チ）上記カットされたテープ終端をメインローラー５２が押し圧して封書への封緘作業は終了する
（リ）図６によって、操作レバー３１は、ねじりばね３４の反力で初期位置に復帰すると、図８により、ロックレバー３５を介して、封書固定プレート８１を回動し、封書の給紙台からの固定を解除する。
（ヌ）図９，１０によって、上記封書固定プレート８１の回動はテープ保持プレート４１をピン４４を介して時計方向に回動し、テープ先端を給紙台から遠ざけて、次の作業に備える。
（ル）一方、図１５によって、テープ送りレバー６１は引っ張りコイルばね６９の力で初期位置に復帰してストッパーねじ６０によって停止して次の作業に備える。
【発明の効果】
【０００８】本発明によれば、作業性の改善はもとより、手作業のミスによる、テープの無駄の改善、封書外観の改善、さらには、経費の改善をもたらす。
【発明を実施するための最良の形態】
【０００９】以下、本発明を図面に基ずいて詳細に説明する。【００１０】図１は、本封緘機の斜視図である。給紙台Ａには、封書のサイズによって調整可能な移動ガイドＣ２があり、筺体Ｂの下部は、封書の先端が挿入できるように一部くりぬかれて、そこに、封書の位置決めプレートＤ，テープ粘着時の封書の動きを抑える、封書固定プレート８１が付設されている。（図３）【００１１】筺体Ｂには、封書サイズに合った長さで粘着テープをカットするために、調整可能なストッパーブロック７４とカット時のテープ本体の動きを防止するために、ブレーキプレート７５が付設されている。【００１２】図６によれば、操作レバー３１は、支軸３３に挿入されたねじりばね３４により反時計方向の反力が付加されているが、図８により、ロックレバー３５を介して封書固定プレート８１の支軸８３に挿入された、ねじりばね８４の反力で支持されている。【００１３】図６により、操作レバー３１の支軸３３を中心とした回動の初期において、支軸３８を中心に回動自在なレバー５１は、その先端に、支軸５５を支点とし、回動自在な連結プレート５４を介して、補助ローラー５２、メインローラー５３が配置されて、これらローラーは給紙台上を押し圧しながら直線運動をしてテープ前面まで移動する。【００１４】この時点で、図８により、ロックレバー３５は、そのロックを解除して、同時に封書固定プレート  ８１は、左右にあるねじりばね８４の反力によって、封書を給紙台に押し付け固定する、  と同時に、図９，１０により、テープ保持プレート４１は、ピン４４の支持が解かれて、ねじりばね４３の反力によって反時計方向に回動し、テープ先端が封書に接近して次の動作に備える。【００１５】図１１，１２によれば、補助ローラー５２が、テープ先端に接し、補助ローラーの円周の半分くらいの長さを封書に粘着後、テープ保持プレートが斜め上方向に動き始めるように、図１３，１４，１５において、ピン６２の位置を規定する。図１１，１２によりテープ先端は、補助ローラー５２による封書への粘着を容易にするため、テープ粘着面を、複数の線状ばね材が平面形状を維持する目的でテープ支持プレートに付設されている。補助ローラー５２の背後には、メインローラー５３が配置されて、補助ローラーで押し圧されない隙間部分とテープ全幅押し圧して、封書へのテープ粘着をおこなう。【００１６】封緘作業を連続して行うためには、テープがカットされた残りのテープに一定の長さの直線部分を必要とする。そのために図１５によると、テープ送りレバー６１の支軸３３を中心とした回動は、直線移動レバー６３を介してレバー６７が支点６８を中心に回動して、スライドブロック４７を斜め上方向へ移動させる。即ち、テープはローラー５２、５３によって封書へ粘着しながら斜め上方向へ移動することで直線的な長さを確保する。【００１７】図１６によれば、上記斜め上方向への移動による、テープ必要長さの繰り出し後、カッター保持プレート７１は、ストッパーブロック７４に接触しながら回動しテープをカットする。その際、テープ本体をブレーキプレート７５で抑えることで、テープカットの安定性を確保する。【００１８】図６により、封書へのテープ粘着終了後は、操作レ��ー３１は、ねじりばね３４の反力によって、初期位置に復帰し、付設されているピン３２がロックレバー３５（図８）の凹部に入り込むことで、３５を回動し、付設されている先端のピン３７によって、封書固定プレート８１を持ち上げて、封緘された封書の給紙台からの固定を解除する。一方、図１５により、斜め上方向のテープ保持プレート４１、カッター保持プレート７１は、引っ張りコイルばね６９の反力によって、レバー６７を介して初期位置に復帰し、テープ送りレバー６１がストッパーねじ６０に当たり停止する。【００１９】図９，１０により、初期位置に復帰したテープ保持プレート４１は、上記により持ち上げられた封書固定プレート８１によって、４１に付設されているピン４４を介して、時計方向に回動して、テープ先端を給紙台から遠ざけて次の作業に備える。
【産業上の利用可能性】
【００２０】本封緘機は、その操作が簡単なことから、量的には少量から中量の幅広な封書（例えば、Ａ４サイズ）への粘着テープ使用の封緘作業に最適である。従来の手作業による作業性の悪さからの改善は大きい。本封緘機からの発展を考えると、操作レバーをモーターに置き換え、給紙台に封書の存在確認用センサーを配置することにより、その作業性は、更に向上する。
【図面の簡単な説明】
【００２１】
【図１】本発明の封緘機を示す斜視図である。
【図２】本発明の封緘機の平面図である。
【図３】本発明の封緘機の正面図である。
【図４】本発明の封緘機の側面図である。
【図５】本発明の封緘機の背面図である。
【図６】本発明の封緘機の操作レバーの動きを示す説明図である。
【図７】本発明の封緘機の操作レバーの動きを示す説明図である。
【図８】本発明の封緘機の操作レバーの動きを示す説明図である。
【図９】本発明の封緘機のテープ保持レバーの動きを示す説明図である。
【図１０】本発明の封緘機のテープ保持レバーの動きを示す説明図である。
【図１１】本発明の封緘機のテープ先端とローラーの動きを示す説明図である。
【図１２】本発明の封緘機のテープ先端とローラーの動きを示す説明図である。
【図１３】本発明の封緘機のテープ送りレバーの動きを示す説明図である。
【図１４】本発明の封緘機のテープ送りレバーの動きを示す説明図である。
【図１５】本発明の封緘機のテープ送りレバーの動きを示す説明図である。
【図１６】本発明の封緘機のカッター保持プレートの動きを示す説明図である。
【符号の説明】
【００２２】３１  操作レバー
４１  テープ保持プレート
５１  ローラー保持レバー
６１  テープ送りレバー
７１  カッター保持プレート
８１  封書固定プレート
Ａ  給紙台
Ｂ  筺体
Ｃ１  封書固定ガイドプレート
Ｃ２  封書移動ガイドプレート
Ｄ    封書位置決めプレート
【図１】
2006327688.tif 000003
【図２】
2006327688.tif 000004
【図３】
2006327688.tif 000005
【図４】
2006327688.tif 000006
【図５】
2006327688.tif 000007
【図６】
2006327688.tif 000008
【図７】
2006327688.tif 000009
【図８】
2006327688.tif 000010
【図９】
2006327688.tif 000011
【図１０】
2006327688.tif 000012
【図１１】
2006327688.tif 000013
【図１２】
2006327688.tif 000014
【図１３】
2006327688.tif 000015
【図１４】
2006327688.tif 000016
【図１５】
2006327688.tif 000017
【図１６】
2006327688.tif 000018